(57)【特許請求の範囲】
【請求項１】
筒状のハウジングと、該ハウジング内に筒状の絶縁碍子を介して挿入配置された検出素子とよりなる酸素濃度検出器において、
上記検出素子、上記絶縁碍子及び上記ハウジングによって形成された空間には、粉体が加圧充填されており、
上記検出素子はツバ部を有しており、該ツバ部は、上記絶縁碍子に支承されていると共に、上記ツバ部には上記加圧充填された粉体から軸芯方向の力が作用しており、
上記絶縁碍子は、上記ハウジングに設けられた傾斜状受面によって支承されるテーパ部と、上記検出素子の上記ツバ部を受ける受面と、上記粉体が加圧配置されている上端面とを有してなり、かつ、上記テーパ部の内周部分は、上記上端面よりもさらに内周側に位置しており、
上記絶縁碍子における上記受面には、上記ツバ部から軸芯方向の力Ｐ４及び軸芯方向に直交する方向の力Ｐ１が作用し、上記絶縁碍子における上端面には、上記加圧充填された粉体から軸芯方向の力Ｐ６及び軸芯方向に直交する方向の力Ｐ３が作用しており、
上記絶縁碍子における上記テーパ部の外周部分には上記ハウジングの傾斜状受面と当接する当接部を有し、該当接部には、上記ハウジングの上記傾斜状受面から軸芯方向の力Ｐ５及び軸芯方向に直交する方向の力Ｐ２が作用しており、
上記Ｐ５は、上記Ｐ６と上記Ｐ４との合力とバランスしていると共に、上記テーパ部の外周部分の上記当接部に作用点を有しており、
上記絶縁碍子は、上記当接部を介してのみ上記ハウジングの上記傾斜状受面に支承されていることを特徴とする酸素濃度検出器。
【請求項２】
請求項１において、上記絶縁碍子における上記上端面は、軸芯方向と略直交する平面であることを特徴とする酸素濃度検出器。
【請求項３】
請求項１において、上記絶縁碍子における筒壁の上端面は、該絶縁碍子の軸芯方向の断面で見た時、対称形であることを特徴とする酸素濃度検出器。
【請求項４】
請求項１〜３のいずれか１項において、上記検出素子はパッキンを介して絶縁碍子の傾斜状受面に支承されていることを特徴とする酸素濃度検出器。
【請求項５】
請求項１〜４のいずれか一項において、上記当接部は曲面であることを特徴とする酸素濃度検出器。
【請求項６】
請求項１〜５のいずれか一項において、上記当接部は突出部を有することを特徴とする酸素濃度検出器。
【請求項７】
請求項１〜６のいずれか一項において、上記ハウジングの上記傾斜状受面は、上記当接部と当接する突出部を有することを特徴とする酸素濃度検出器。
【発明の詳細な説明】
【０００１】
【産業上の利用分野】
本発明は，自動車用エンジンの空燃比制御等に使用する酸素濃度検出器に関する。
【０００２】
【従来技術】
従来，図２０に示すごとく，筒状のハウジング３と，該ハウジング３内に筒状の絶縁碍子９を介して挿入配置された検出素子４とよりなる酸素濃度検出器（後述の図３参照）がある。上記絶縁碍子９は，上記ハウジング３に設けられた傾斜状受面３２によって支承されるテーパ部９２を有する。
【０００３】
上記絶縁碍子９は環状体であって，セラミック体よりなり，上記傾斜状受面３２と当接するテーパ部９２と，上記検出素子４のツバ部４９を受ける受面９１とを有する。上記テーパ部９２及び受面９１は，金属製のパッキン９１９，９２９において形成されている。
上記ツバ部４９の上方には，図示を略した碍子が配置され，該碍子によって，パッド１４及び粉体１３が，検出素子４，絶縁碍子９及びハウジング３によって形成された空間に配設及び加圧充填されている。
【０００４】
この時，絶縁碍子９には，主として３方向より力が作用する。
即ち，図２１に示すごとく，検出素子４のツバ部４９から，絶縁碍子９の受面９１に対して作用する力であって，酸素濃度検出器の軸芯方向に対して直交する成分が，Ｐ１となる。
【０００５】
もうひとつは，ハウジング３の傾斜状受面３２より絶縁碍子９のテーパ部９２に作用する力であって，上記軸芯方向に対して直交する成分がＰ２となる。
また，もうひとつは，上記粉体１３より絶縁碍子９の上端面９３に作用する力であって，上記軸芯方向に対して直交する成分がＰ３となる。
【０００６】
これらの力は，Ｐ１が絶縁碍子９の外方向，Ｐ２及びＰ３が絶縁碍子９の内方向に作用する。よって，軸芯方向に対して直交する方向ということだけで考えれば上記３つの力は互いに相殺され，絶縁碍子９は力が作用していないのと同様の状態となる。
【０００７】
【解決しようとする課題】
ところで，上記絶縁碍子９にかかる力は，上述のＰ１，Ｐ２，Ｐ３の，軸芯方向に直行する成分の大きさのみを考えれば，相殺され，０となるように考えられる。しかしながら，これらの力は絶縁碍子の軸芯方向に対する作用点が異なるため，実際の絶縁碍子には，これを変形させようとする力が作用している。
【０００８】
この力は，受面９１の近傍を中心に，絶縁碍子９の上端面９３とテーパ部９２とが，絶縁碍子９を「く」の字型に内方向に屈曲するように作用する。
よって，上記酸素濃度検出器においては，例えば，粉体１３等の加圧充填時等に，絶縁碍子９が破損するおそれがある。
【０００９】
このため，上記粉体１３を加圧充填する際，絶縁碍子９の破損を防止するために，より低い圧力によって充填しなくてはならない。よって，上記酸素濃度検出器は，上記粉体１３の充填部分においてシール性が不十分である。
この場合には，酸素濃度検出器における，後述する被測定ガス室及び基準ガス室において，被測定ガスが基準ガス室に混入するおそれがある。
【００１０】
本発明は，かかる問題点に鑑み，絶縁碍子の破損がなく，被測定ガス室及び基準ガス室等のシール性に優れた，酸素濃度検出器を提供しようとするものである。
【００１１】
【課題の解決手段】
本発明は、筒状のハウジングと、該ハウジング内に筒状の絶縁碍子を介して挿入配置された検出素子とよりなる酸素濃度検出器において、
上記検出素子、上記絶縁碍子及び上記ハウジングによって形成された空間には、粉体が加圧充填されており、
上記検出素子はツバ部を有しており、該ツバ部は、上記絶縁碍子に支承されていると共に、上記ツバ部には上記加圧充填された粉体から軸芯方向の力が作用しており、
上記絶縁碍子は、上記ハウジングに設けられた傾斜状受面によって支承されるテーパ部と、上記検出素子の上記ツバ部を受ける受面と、上記粉体が加圧配置されている上端面とを有してなり、かつ、上記テーパ部の内周部分は、上記上端面よりもさらに内周側に位置しており、
上記絶縁碍子における上記受面には、上記ツバ部から軸芯方向の力Ｐ４及び軸芯方向に直交する方向の力Ｐ１が作用し、上記絶縁碍子における上端面には、上記加圧充填された粉体から軸芯方向の力Ｐ６及び軸芯方向に直交する方向の力Ｐ３が作用しており、
上記絶縁碍子における上記テーパ部の外周部分には上記ハウジングの傾斜状受面と当接する当接部を有し、該当接部には、上記ハウジングの上記傾斜状受面から軸芯方向の力Ｐ５及び軸芯方向に直交する方向の力Ｐ２が作用しており、
上記Ｐ５は、上記Ｐ６と上記Ｐ４との合力とバランスしていると共に、上記テーパ部の外周部分の上記当接部に作用点を有しており、
上記絶縁碍子は、上記当接部を介してのみ上記ハウジングの上記傾斜状受面に支承されていることを特徴とする酸素濃度検出器にある。
【００１２】
本発明において最も注目すべきことは，上記絶縁碍子は，上記当接部を介してのみハウジングの傾斜状受面に支承されていることにある。
上記外周部分とは，テーパ部において，酸素濃度検出器の中心である軸芯より最も離れている領域，即ち，テーパ部と絶縁碍子側面との境界となる稜線及び該稜線の近傍の領域である。
【００１３】
そして，上記外周部分の全面が当接部となることが好ましい。この時，絶縁碍子とハウジングとの接触面積が最大となるため，絶縁碍子をハウジングに対して安定配置することができる。また，上記外周部分の一部を当接部とすることもできる。
また，上記当接部には，後述するごとく，パッキン等を介在させ，間接的に当接部と傾斜状受面とを当接させることもできる。いずれにせよ，上記当接部を通じて，傾斜状受面からの力が絶縁碍子に作用する。
【００１４】
また，上記絶縁碍子におけるテーパ部の開き角α（度）と，上記ハウジングにおける傾斜状受面の開き角β（度）との間には，α＞βの関係が成立していることが好ましい（後述の図２参照）。この場合には，確実に絶縁碍子の外周部分のみを当接部とすることができる。
【００１５】
次に，上記絶縁碍子における筒壁の上端面は，該絶縁碍子の軸芯方向で見た時対称形であることが好ましい（後述の図６参照）。即ち，上記上端面は，対称形となる外側上端面と内側上端面とにより構成されている。
【００１６】
これにより，上記絶縁碍子が上端面において受ける力で，軸芯方向に水平な成分は，上記外側上端面における成分と，内側上端面における成分とが打ち消し合い，従来例に示すＰ３に相当する力は０となる。よって，この場合には，絶縁碍子に，従来例において示した内方向に屈曲しようとする力が働かず，絶縁碍子の破損が防止できる。
なお，上記上端面は軸芯方向と直交する平面であることが特に好ましい（後述の図１，図４参照）。この場合にも，従来例に示すＰ３に相当する力は０となる。
【００１７】
上記絶縁碍子はパッキンを介して絶縁碍子の傾斜状受面に支承されていることが好ましい。
上記パッキンは弾性体であるため，傾斜状受面からの力によってパッキン自身が容易に歪むことができる。これにより，パッキンが絶縁碍子にかかる片当たり等の集中荷重の力を吸収することができる。
また，上記パッキンを当接部に貼着することにより，確実に当接部を介して傾斜状受面が絶縁碍子を支承することができる。
【００１８】
上記パッキンはテーパ部又は傾斜状受面のいずれかに一方に設けることができる。上記パッキンをテーパ部に設ける場合には，パッキンの上端面をテーパ部の当接部に対して密着配置する。そして，上記パッキンの外周部分において，ツバ部が傾斜状受面と当接することができる（図１３参照）。
一方，上記パッキンを傾斜状受面に設ける場合には，パッキンの下面を傾斜状受面に対して密着配置することもできる。
【００１９】
また，上記パッキンの形状は，例えば，中央に検出素子を挿通する穴を設けた環状体である。更に，上記パッキンの外径は，ツバ部の外径よりも大きいことが好ましい。この場合には，パッキンが絶縁碍子とハウジングとの間の隙間を封止することができ，酸素濃度検出器の気密性を一層保つことができ，基準ガス室内に被測定ガスが侵入すること等を防止することができる。
なお，上記パッキンは，ニッケル，ステンレス等の耐熱合金を用いるのがよい。
【００２０】
上記当接部は曲面であることが好ましい。これにより，上記当接部にかかる力を分散させ，検出素子にかかる集中応力をより軽減させることができる。
次に，上記当接部は突出部を有することが好ましい（図７）。また，上記絶縁碍子の傾斜状受面は，上記当接部と当接する突出部を有することが好ましい（図８）。また，上記突出部は当接部全体に設けることも，部分的に設けることもできる。
これにより，絶縁碍子とハウジングとが，絶縁碍子のテーパ部の外周部分で確実に当接することができる。
【００２１】
【作用及び効果】
本発明の酸素濃度検出器においては，絶縁碍子はテーパ部における外周部分の当接部を介してのみハウジングの傾斜状受面に支承されている。また，上記外周部分は，上記テーパ部において酸素濃度検出器の中心である軸芯より最も離れた領域であると共に上記テーパ部と上記絶縁碍子の側面との境界である稜線及び該稜線の近傍の領域である。
これにより，後述するごとく，絶縁碍子に，これを屈曲させるようなねじれの力が作用しない。従って，絶縁碍子が破損することがない。
【００２２】
また，上記粉体をより大きな圧力で加圧し，より大きな力で検出素子をハウジングに組付けることができるため，検出素子とハウジングとの間の気密性に優れた酸素濃度検出器を得ることができる。
【００２３】
上記のごとく，本発明によれば，絶縁碍子の破損がなく，被測定ガス室及び基準ガス室等のシール性に優れた，酸素濃度検出器を提供することができる。
【００２４】
【実施例】
実施例１
本発明の実施例にかかる酸素濃度検出器１につき，図１〜図６を用いて説明する。
図１，図２に示すごとく，本例の酸素濃度検出器１は，筒状のハウジング３と，該ハウジング３内に筒状の絶縁碍子２を介して挿入配置された検出素子４とよりなる。
【００２５】
上記絶縁碍子２は，上記ハウジング３に設けられた傾斜状受面３２の外周部分３０によって支承されるテーパ部２２を有し，該テーパ部２２の外周部分には上記ハウジング３の傾斜状受面３２と当接する当接部２０を有する。
そして，上記絶縁碍子２は上記当接部２０を介してのみハウジング３の傾斜状受面３２に支承されている。なお，上記絶縁碍子２の上端面２３は，酸素濃度検出器１の軸芯方向と直交する平面である。
【００２６】
また，図２に示すごとく，上記絶縁碍子２におけるテーパ部２２の開き角α（度）と，上記ハウジング３における傾斜状受面３２の開き角β（度）との間には，α＞βの関係が成立している。
図２，図３に示すごとく，上記検出素子４は絶縁碍子２の受面２１に支承されるツバ部４９を有する。なお，符号４１は上記ツバ部４９における受面２１との当接面である。
【００２７】
また，上記ツバ部４９の上方及び絶縁碍子２の上端面２３には，粉体１３及びパッド１４が碍子１５により加圧配置されている。
即ち，図１〜図３に示すごとく，ハウジング３において，上記粉体１３，パッド１４を所定の位置に配置した後，上記碍子１５を，スペーサー１５９，保護カバー１７１と共に嵌め込む。これにより，粉体１３，パッド１４が下方へ押圧充填及び配置される。
なお，上記検出素子４，絶縁碍子２等は酸素濃度検出器１の軸芯に対し，同軸的にハウジング３内に配置されている。
【００２８】
図３に示すごとく，上記酸素濃度検出器１における検出素子４は，ハウジングの下方に配置された保護カバー１６１，１６２により形成される被測定ガス室１６０内に配置されている。検出素子４は，コップ型の固体電解質４５と，その内側表面に設けた基準電極４５８と外側面に設けた被測定ガス側電極４５９とよりなる。
【００２９】
上記固体電解質４５は基準ガス室４５０を有し，該基準ガス室４５０に対面する部分には基準電極４５８が，上記被測定ガス室１６０に対面する部分には被測定ガス側電極４５９が設けてある。
そして，上記基準ガス室４５０内にはヒータ１１が配置されている。
なお，同図において，符号１７２，１７３は外側カバー，１８１，１８２はリード線である。
【００３０】
次に，本例における作用効果につき説明する。
本例の酸素濃度検出器１の絶縁碍子２には，主として３方向より力が作用している。
即ち，図４に示すごとく，検出素子４のツバ部４９より，絶縁碍子２の受面２１に作用する力は，酸素濃度検出器１の軸芯方向に対して直交する成分がＰ１，平行な成分がＰ４である。また，ハウジング３の傾斜状受面３２より絶縁碍子２のテーパ部２２に作用する力で，上記軸芯方向に対して直交する成分がＰ２，平行な成分がＰ５である。
【００３１】
また，加圧充填された粉体１３より絶縁碍子２の上端面２３に作用する力で，上記軸芯方向に対して直交する成分がＰ３，平行な成分がＰ６である。ただし，本例の絶縁碍子２は上端面２３が軸芯方向に直交する平面となっている。よって，Ｐ３成分の大きさは０であり，図示できない（なお，上端面９３が平面でない絶縁碍子９を有する従来例では，図２１に示すごとく，Ｐ３を図示することができる）。
【００３２】
ところで，Ｐ６とＰ４との合力とバランスをとるＰ５は，絶縁碍子２の最も外周部分，即ちＰ６により近い箇所に作用点を持っていることが好ましい。
仮に，図５に示すごとく，絶縁碍子２９におけるテーパ部２２の最も内周部分に当接部が存在する場合には，Ｐ５が絶縁碍子２の内周部分において上方に，Ｐ６が絶縁碍子２の外周部分において下方に作用する。このため，絶縁碍子２には，これを押し曲げようとする力が作用し，破損するおそれがある。
【００３３】
本例の酸素濃度検出器１においては，絶縁碍子２におけるテーパ部２２の開き角α（度）と，上記ハウジング３における傾斜状受面３２の開き角β（度）との間には，α＜βの関係が成立しており，当接部２０が必ず絶縁碍子２の外周部分となる。また，上記当接部２０以外のテーパ部２２は傾斜状受面３２と接触しない。
【００３４】
このため，上記絶縁碍子２で，軸芯方向と平行に作用する力は，Ｐ４，Ｐ５，Ｐ６である。これらの力による，絶縁碍子２を屈強させようとする力は，上述したごとく，作用しない。従って，これらの力によって絶縁碍子２の破損は生じない。
【００３５】
また，上記粉体１３をより大きな圧力で加圧し，より大きな力で検出素子４をハウジング３に組付けることができるため，検出素子４とハウジング３との間の気密性に優れた酸素濃度検出器１を得ることができる。
【００３６】
更に，上記絶縁碍子２で，軸芯方向に直交するよう作用する力は，Ｐ１とＰ２である。Ｐ１とＰ２は両者の距離も短く，従来例に示すごとく絶縁碍子２を屈曲させようとする力が作用しない。従って，これらの力によっても絶縁碍子２の破損が生じない。
【００３７】
従って，本例によれば，絶縁碍子の破損がなく，被測定ガス室及び基準ガス室等のシール性に優れた，酸素濃度検出器を提供することができる。
【００３８】
なお，上記絶縁碍子２の他の例としては，図６に示すごとく，筒壁２５の上端面が，外側上端面２３１と内側上端面２３２とよりなり，両者は軸芯方向にのびる軸２５０に対して対称な形状を有する絶縁碍子２９がある。
図６（ａ）に示す絶縁碍子２９は，外側上端面２３１及び内側上端面２３２は，円弧形状であり，一方，図６（ｂ）に示す絶縁碍子２９は，上記外側上端面２３１及び内側上端面２３２は三角形状である。
【００３９】
上記絶縁碍子２９が上端面において，粉体１３より受ける力で，軸芯方向に水平な成分は，上記外側上端面２３１における成分と，内側上端面２３２における成分とが打ち消し合い，０となる。
このため，図６に示す絶縁碍子２９も，酸素濃度検出器１に組付けた場合に，破損が生じない。
【００４０】
実施例２
本例は，図７に示すごとく，テーパ部２２における当接部２０が突出部２０１を有する酸素濃度検出器１である。
即ち，上記酸素濃度検出器１の絶縁碍子２は，ハウジング３に設けられた傾斜状受面３２によって支承されるテーパ部２２を有し，該テーパ部２２の当接部２０には，上記ハウジング３の傾斜状受面３２における当接部３０と当接する突出部２０１を設けてある。そして，上記突出部２０１は上記当接部２０の全面に，環状に形成されている。
その他は，実施例１と同様である。
【００４１】
本例における酸素濃度検出器１においては，絶縁碍子２とハウジング３とが絶縁碍子２のテーパ部２２の外周部分において確実に当接することができる。
その他，実施例１と同様の作用効果を有する。
【００４２】
実施例３
本例は，図８〜図１０に示すごとく，当接部が突出部２０２を有する酸素濃度検出器の絶縁碍子２である。
即ち，本例の絶縁碍子２は，ハウジングに設けられた傾斜状受面によって支承されるテーパ部２２を有し，該テーパ部２２の当接部には，上記ハウジングの傾斜状受面における当接部と当接する突出部２０２を設けてある。そして，上記突出部２０２は上記当接部の表面に３ヶ所形成されている。
その他は，実施例１と同様である。
【００４３】
本例における絶縁碍子２は，テーパ部２２及びハウジングの傾斜状受面の円筒度等の形状精度が低くてもよく，製造コストが低減できる。
その他，実施例１と同様の作用効果を有する。
【００４４】
実施例４
本例は，図１１に示すごとく，ハウジング３の傾斜状受面３２が突出部３０１を有する酸素濃度検出器１である。
即ち，上記酸素濃度検出器１の絶縁碍子２は，ハウジング３に設けられた傾斜状受面３２によって支承されるテーパ部２２を有し，該テーパ部２２の当接部２０は，上記ハウジング３の傾斜状受面３２における当接部３０に設けられた突出部３０１によって支承されている。なお，上記突出部３０１は上記当接部２０の全面を受けている。
その他は，実施例１と同様である。
【００４５】
本例における酸素濃度検出器１は，絶縁碍子２とハウジング３とが絶縁碍子２のテーパ部２２の外周部分において確実に当接することができる。
その他，実施例１と同様の作用効果を有する。
【００４６】
実施例５
本例は，図１２〜図１４に示すごとく，環状のパッキン５を絶縁碍子２のテーパ部２２の下面に設けた酸素濃度検出器１である。
即ち，図１２，図１３は，テーパ部２２の直径よりも大きいパッキン５を設けた酸素濃度検出器１である。上記パッキン５の上面５１は絶縁碍子２のテーパ部２２に対して全面当接している。そして，上記パッキン５の下面５０の外周部分における当接部５０１がハウジング３の傾斜状受面３２と当接する。
【００４７】
また，図１４は，テーパ部２２の直径と同じ大きさのパッキン５９を絶縁碍子３のテーパ部２２に設けた酸素濃度検出器１である。上記パッキン５９は環の外周部分は厚みがあり，内周部分は薄くなっている。上記パッキン５９の上面はテーパ部２２に対して全面当接している。そして，上記パッキン５９の下面５０の外周部分における当接部５９１が傾斜状受面１１と当接する。
その他は，実施例１と同様である。
【００４８】
本例における酸素濃度検出器１は，形状加工の容易なパッキン５９により，目的が達せられることになり，製造コストが安くて済む。
その他，実施例１と同様の作用効果を有する。
【００４９】
実施例６
上記実施例１〜５は，コップ型検出素子を用いた酸素濃度検出器につき例示したが，本例は，図１５〜図１９に示すごとく，積層型の検出素子６を用いた酸素濃度検出器１である。
即ち，本例の酸素濃度検出器１は，図１５に示すごとく，筒状のハウジング３と，該ハウジング３内に筒状の絶縁碍子２を介して挿入配置された，積層型の検出素子６とよりなる。上記積層型の検出素子６は平板状で，ヒータを内蔵している。なお，図１６に示すごとく，上記検出素子６は，大気導入等に用いる細孔６０をその軸方向に有している。
【００５０】
そして，上記絶縁碍子２は，上記ハウジング３に設けられた傾斜状受面３２によって支承されるテーパ部２２を有し，該テーパ部２２の外周部分には上記ハウジング３の傾斜状受面３２と当接する当接部２０を有しており，かつ上記絶縁碍子２は上記当接部２０を介してのみハウジング３における傾斜状受面３２に支承されている。
【００５１】
なお，図１７〜図１９に上記絶縁碍子２を示す。上記絶縁碍子２における，検出素子６の挿入配置部２３０は検出素子６の断面形状と同様に角形である。そして，配置部の内部には検出素子６のツバ部６９を受けるための，角形の受面２１が設けてある。その他は，実施例１と同様である。
その他，実施例１と同様の作用効果を有する。
【図面の簡単な説明】
【図１】実施例１における，酸素濃度検出器の要部断面図。
【図２】実施例１における，酸素濃度検出器の要部断面図。
【図３】実施例１における，酸素濃度検出器の断面図。
【図４】実施例１における，絶縁碍子の説明図。
【図５】実施例１における，破損しやすい絶縁碍子の説明図。
【図６】実施例１における，他の絶縁碍子の断面図。
【図７】実施例２における，酸素濃度検出器の要部断面図。
【図８】実施例３における，酸素濃度検出器の絶縁碍子の側面図。
【図９】実施例３における，絶縁碍子の底面図。
【図１０】実施例３における，絶縁碍子の斜視図。
【図１１】実施例４における，酸素濃度検出器の要部断面図。
【図１２】実施例５における，パッキンを有する酸素濃度検出器の要部断面図。
【図１３】実施例５における，絶縁碍子とパッキンの説明図。
【図１４】実施例５における，その他の酸素濃度検出器の説明図。
【図１５】実施例６における，積層型検出素子を有する酸素濃度検出器の要部断面図。
【図１６】実施例６における，積層型検出素子の斜視図。
【図１７】実施例６における，絶縁碍子の正面図。
【図１８】図１７のＢ−Ｂ線矢視断面図。
【図１９】図１７のＣ−Ｃ線矢視断面図。
【図２０】従来例における，酸素濃度検出器の要部断面図。
【図２１】従来例における，絶縁碍子の説明図。
【符号の説明】
１．．．酸素濃度検出器，
２．．．絶縁碍子，
２０．．．当接部，
２２．．．テーパ部，
３．．．ハウジング，
３２．．．傾斜状受面，
４，６．．．検出素子，
【図１】
0003588848.tif 000002
【図２】
0003588848.tif 000003
【図３】
0003588848.tif 000004
【図４】
0003588848.tif 000005
【図５】
0003588848.tif 000006
【図６】
0003588848.tif 000007
【図７】
0003588848.tif 000008
【図８】
0003588848.tif 000009
【図９】
0003588848.tif 000010
【図１０】
0003588848.tif 000011
【図１１】
0003588848.tif 000012
【図１２】
0003588848.tif 000013
【図１３】
0003588848.tif 000014
【図１４】
0003588848.tif 000015
【図１５】
0003588848.tif 000016
【図１６】
0003588848.tif 000017
【図１７】
0003588848.tif 000018
【図１８】
0003588848.tif 000019
【図１９】
0003588848.tif 000020
【図２０】
0003588848.tif 000021
【図２１】
0003588848.tif 000022